(57)【特許請求の範囲】
【請求項１】
電池モジュールを囲むパックケースであって、
前記電池モジュールの一部分を収容し、内周面で一方向の縁部に位置する整列部と、前記内周面で他方向の縁部に位置するバスバーと、外周面で前記バスバーに接触する接続端子とを有するメインケースを含み、
前記整列部と前記バスバーは前記電池モジュールの周辺に位置して前記電池モジュールと接触し、前記整列部は前記一方向及び前記他方向で前記電池モジュールの動きを制限し、前記バスバーは前記電池モジュールの少なくとも１つの電池セルと電気的に接続し、
前記整列部は、前記メインケースと前記電池モジュールとを結合させるように前記電池モジュールとフック結合するフック形状であることを特徴とするパックケース。
【請求項２】
前記整列部は、前記一方向の前記縁部に複数個が位置することを特徴とする請求項１に記載のパックケース。
【請求項３】
前記整列部は、前記内周面の中央領域から前記縁部に向かって位置して前記電池モジュールの周辺に突出し、前記電池モジュールの側壁に向かって延びることを特徴とする請求項１に記載のパックケース。
【請求項４】
前記整列部は、前記電池モジュールの下方で前記電池モジュールを支持し、前記電池モジュールの側方で前記電池モジュールのカートリッジ同士の間の溝部に挿入されるフックを有することを特徴とする請求項１に記載のパックケース。
【請求項５】
前記整列部は、前記内周面で前記一方向の前記縁部に対向するように少なくとも一対として設けられることを特徴とする請求項１に記載のパックケース。
【請求項６】
前記整列部は、前記内周面で前記一方向の前記縁部に沿って複数の相異なる形状で設けられることを特徴とする請求項１に記載のパックケース。
【請求項７】
前記バスバーは、前記メインケースから前記電池モジュールに向かって突出し、前記他方向の前記縁部に複数個が位置することを特徴とする請求項１に記載のパックケース。
【請求項８】
前記バスバーは、前記内周面で前記他方向の前記縁部に対向するように一対として設けられることを特徴とする請求項１に記載のパックケース。
【請求項９】
前記バスバーは、前記内周面で前記他方向の前記縁部に沿って複数の相異なる形状で設けられることを特徴とする請求項１に記載のパックケース。
【請求項１０】
前記メインケースは、前記外周面に前記パックケースを運ぶためのハンドルを含むことを特徴とする請求項１に記載のパックケース。
【請求項１１】
前記電池モジュールの他の部分を覆って前記メインケース上に位置するサブケースをさらに含み、
前記サブケースは前記バスバーを囲むことを特徴とする請求項１に記載のパックケース。
【請求項１２】
順に配列されて電気的に接続する電池モジュール及び電装部品と；
前記電池モジュール及び前記電装部品を囲むメインケース及びサブケースと；を含み、
前記メインケースは、内周面の縁部で一方向に対向するように位置して前記電池モジュールとフック結合する整列部、及び他方向に対向するように位置して前記電池モジュールの２つの代替電極端子とそれぞれ接触するバスバーを含み、前記内周面と対向する前記電池モジュールの印刷回路基板を覆い、バスバーは前記代替電極端子の１つに溶接されることを特徴とする電池パック。
【請求項１３】
前記電池モジュールは、エンドプレート同士間に電池セルとカートリッジ、下側に前記代替電極端子及び前記印刷回路基板を含み、
前記代替電極端子は、前記エンドプレート上で前記電池セルの直列回路または並列回路の最終端にそれぞれ位置する電極端子と接触することを特徴とする請求項１２に記載の電池パック。
【請求項１４】
前記整列部のそれぞれは前記電池モジュールの下方で前記電池モジュールから露出し、前記電池モジュールの周辺で２つのカートリッジの間の溝部に挿入されるフックを有することを特徴とする請求項１２に記載の電池パック。
【請求項１５】
前記整列部は、前記メインケースで前記縁部から中央領域に向かって交互に延びることを特徴とする請求項１２に記載の電池パック。
【請求項１６】
前記整列部は、前記メインケースで一側の縁部と他側の縁部とで相異なる形状を有することを特徴とする請求項１２に記載の電池パック。
【請求項１７】
前記バスバーは、前記メインケースで一側の縁部と他側の縁部とで相異なる形状を有することを特徴とする請求項１２に記載の電池パック。
【請求項１８】
前記バスバーは、一側の縁部で板状の代替電極端子に溶接され、他側の縁部でねじ線を有する円柱状の代替電極端子とねじ結合することを特徴とする請求項１２に記載の電池パック。
【請求項１９】
前記代替電極端子は、前記電池モジュールの一側方のエンドプレート上で前記電装部品を貫通して前記電池モジュールの他側方のエンドプレート上に位置することを特徴とする請求項１２に記載の電池パック。
【請求項２０】
前記印刷回路基板は、前記代替電極端子を前記印刷回路基板と電気的に接続させることを特徴とする請求項１２に記載の電池パック。
【発明の詳細な説明】
【技術分野】
【０００１】
本発明は、構成要素を安定的に収容して組立て作業中の部品の振動及び／または離脱を防止し、構成要素の電気的特性を外部の電気装置に安定して伝達するのに好適なパックケース及びそれを含む電池パックに関する。
【０００２】
本出願は、２０１５年３月１６日出願の韓国特許出願第１０−２０１５−００３６０９０号に基づく優先権を主張し、該当出願の明細書及び図面に開示された内容は、すべて本出願に援用される。
【背景技術】
【０００３】
近年、車両の排気ガスによる大気汚染を減らすため、内燃機関及び／または電気モータを用いて駆動力を確保する研究に基づいて車両が製造されている。それにより、車両はハイブリッド自動車、プラグインハイブリッド（ｐｌｕｇ−ｉｎ ｈｙｂｒｉｄ）自動車、そして電気自動車の順に進化してきた。ハイブリッド自動車及びプラグインハイブリッド自動車は内燃機関、電気モータと電池パックを備える。電気自動車の場合は、内燃機関なしに、電気モータと電池パックを有する。
【０００４】
さらに、電池パックもハイブリッド自動車、プラグインハイブリッド自動車及び電気自動車とともに進化してきた。電池パックは電気自動車の外部から充電できるように構成される。電池パックはパックケースと電池モジュールを備え、前記パックケースは下部ケースと上部ケースからなって電池モジュールを囲む。前記電池モジュールは一対のエンドプレートの間に電池セルとカートリッジを有する。この場合、前記電池モジュールは、下部ケースまたは上部ケースの内部形状によってパックケースの内部での動きに制限を受ける。
【０００５】
しかし、前記内部形状は、電池モジュールの側方でパックケースの内部空間を構成するため、下部ケースまたは上部ケースに電池パックを組み立てる作業中及び作業後に部品の振動を防止するものの、下部ケースと上部ケースとの間では部品振動に脆弱な構造を有する。また、前記下部ケースまたは上部ケースにおける電池モジュールの収容深さが不十分であるときは、前記内部形状は、電池パックの組立て作業中、下部ケースまたは上部ケースからの部品の離脱を防止することができない。
【０００６】
そこで、前記電池パックの組立て作業中及び作業後に、部品の振動及び／または離脱を防止するための研究が盛んに行われている。一例として、特表２０１３−５３４３６０号公報（２０１３年９月２日公表）の「コンパクトな構造を有するバッテリーパック」が挙げられる。前記バッテリーパックは、パックケース、バッテリーモジュール及びパックカバーを有する。前記パックケースはバッテリーモジュールを収容し、前記パックカバーはパックケース上でバッテリーモジュールを覆う。ここで、前記バッテリーモジュールは、順に積層される下端部プレート、セルモジュールスタック及び上端部プレートを有する。
【０００７】
前記上端部プレートは、角に固定拡張部材を有し、前記固定拡張部材はねじ部材を通じてパックカバーとねじ結合される。前記固定拡張部材とパックカバーとのねじ結合は、パックケースまたはパックカバーで、そしてパックケースとパックカバーとの間で、バッテリーパックの組立て作業中に部品の振動を防止することができる。しかし、前記バッテリーパックの組立て作業は、固定拡張部材とパックカバーとのねじ結合を繰り返して要するため、作業者の工数が多くなる。
【発明の概要】
【発明が解決しようとする課題】
【０００８】
本発明は、上記問題点に鑑みてなされたものであり、電池モジュールを安定的に収容して組立て作業中に電池モジュールの振動と離脱を防止し、電池モジュールの電気的特性を外部の電気装置に安定して伝達するのに好適なパックケース及びそれを含む電池パックを提供することを目的とする。
【課題を解決するための手段】
【０００９】
上記の課題を達成するため、本発明によるパックケースは、電池モジュールを囲むように、前記電池モジュールの一部分を収容し、内周面で一方向の縁部に位置する整列部と、前記内周面で他方向の縁部に位置するバスバーと、外周面で前記バスバーに接触する接続端子とを有するメインケースを含み、前記整列部と前記バスバーは前記電池モジュールの周辺に位置して前記電池モジュールと接触し、前記整列部は前記一方向及び前記他方向で前記電池モジュールの動きを制限し、前記バスバーは前記電池モジュールの少なくとも１つの電池セルと電気的に接続することを特徴とする。
【００１０】
望ましくは、前記整列部はフック形状であって、前記一方向の前記縁部に複数個が位置することができる。
【００１１】
一態様において、前記整列部は、前記内周面の中央領域から前記縁部に向かって位置して前記電池モジュールの周辺に突出し、前記電池モジュールの側壁に向かって延びることができる。
【００１２】
他の態様において、前記整列部は、前記電池モジュールの下方で前記電池モジュールを支持し、前記電池モジュールの側方で前記電池モジュールのカートリッジ同士の間の溝部に挿入されるフックを有し得る。
【００１３】
さらに他の態様において、前記整列部は、前記内周面で前記一方向の前記縁部に対向するように少なくとも一対として設けることができる。
【００１４】
ここで、前記整列部は、前記内周面で前記一方向の前記縁部に沿って複数の相異なる形状で設けることができる。
【００１５】
本発明によれば、前記バスバーは、前記メインケースから前記電池モジュールに向かって突出し、前記他方向の前記縁部に複数個が位置することができる。
【００１６】
望ましくは、前記バスバーは、前記内周面で前記他方向の前記縁部に対向するように一対として設けることができる。
【００１７】
一態様において、前記バスバーは、前記内周面で前記他方向の前記縁部に沿って複数の相異なる形状で設けることができる。
【００１８】
一方、前記メインケースは、前記外周面に前記パックケースを運ぶためのハンドルを含むことができる。
【００１９】
本発明によれば、前記パックケースは、前記電池モジュールの他の部分を覆って前記ケース上に位置するサブケースをさらに含み、前記サブケースは前記バスバーを囲むことができる。
【００２０】
上記の課題を達成するため、本発明による電池パックは、順に配列されて電気的に接続する電池モジュール及び電装部品と；前記電池モジュール及び前記電装部品を囲むメインケース及びサブケースと；を含み、前記メインケースは、内周面の縁部で一方向に対向するように位置して前記電池モジュールとフック結合する整列部、及び他方向に対向するように位置して前記電池モジュールのＩＣＢ（Ｉｎｔｅｒｃｏｎｎｅｃｔ Ｂｏａｒｄ）組立体の代替電極端子とそれぞれ接触するバスバーを含み、前記内周面と対向する前記ＩＣＢ組立体の印刷回路基板を覆い、バスバーは前記代替電極端子の１つに溶接されることを特徴とする。
【００２１】
本発明によれば、前記電池モジュールはエンドプレート同士間に電池セルとカートリッジ、下側に前記ＩＣＢ組立体を含み、前記代替電極端子は前記エンドプレート上で前記電池セルの直列回路または並列回路の最終端にそれぞれ位置する電極端子と接触することができる。
【００２２】
望ましくは、前記整列部のそれぞれは前記電池モジュールの下方で前記電池モジュールから露出し、前記電池モジュールの周辺で２つのカートリッジの間の溝部に挿入されるフックを有し得る。
【００２３】
一態様において、前記整列部は、前記メインケースで前記縁部から中央領域に向かって交互に延びることができる。
【００２４】
他の態様において、前記整列部は、前記メインケースで一側の縁部と他側の縁部とで相異なる形状を有し得る。
【００２５】
本発明によれば、前記バスバーは、前記メインケースで一側の縁部と他側の縁部とで相異なる形状を有し得る。
【００２６】
望ましくは、前記バスバーは、一側の縁部で板状の代替電極端子に溶接され、他側の縁部でねじ線を有する円柱状の代替電極端子とねじ結合することができる。
【００２７】
本発明によれば、前記代替電極端子は、前記電池モジュールの一側方のエンドプレート上で前記電装部品を貫通して前記電池モジュールの他側方のエンドプレート上に位置することができる。
【００２８】
本発明によれば、前記印刷回路基板は、前記代替電極端子を電気的に接続させることができる。
【００２９】
本発明によれば、前記メインケースと前記サブケースは１つのパックケースを構成することができる。
【００３０】
望ましくは、前記メインケースは、外周面で前記バスバーに電気的にそれぞれ接続する接続端子、前記パックケースを移動させるためのハンドル、前記ＩＣＢ組立体及び前記電装部品の少なくとも１つを前記パックケースの外部の電気装置に電気的に接続させるためのコネクタを含むことができる。
【００３１】
望ましくは、前記サブケースは、前記一体端子と前記バスバーを囲み、前記電池モジュールと前記電装部品を覆うことができる。
【発明の効果】
【００３２】
本発明によるパックケースは、電池パックを組み立てるため、メインケースの縁部で一方向に位置するフック形状の整列部を用いて、メインケースに電池モジュールをフック結合させるので、メインケースで電池パックを組み立てる作業中に、電池モジュールの振動を防止することができる。
【００３３】
本発明によるパックケースは、電池モジュールをメインケースとサブケースで囲むため、電池パックの組立て作業中に、メインケースの縁部に他方向に位置するバスバーを用いてバスバーに電池モジュールの端子をねじ結合させて溶接するので、メインケースから電池モジュールが離脱することを防止することができる。
【００３４】
本発明による電池パックは、パックケースの整列部及びバスバーを用いて電池モジュールを安定的に収容するため、メインケースとサブケースとの間の振動を防止し、組立て作業者の工数を最小化し、電池モジュールの電気的特性をパックケースの外部に位置する電気装置に安定して伝達することができる。
【００３５】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００３６】
【図１】本発明の実施例による電池パックを示した斜視図である。
【図２】図１のメインケースを示した斜視図である。
【図３】図１のメインケースの整列部に結合される電池モジュールを拡大して示した部分斜視図である。
【図４】図１のメインケースのバスバーに結合される電池モジュールを拡大して示した部分斜視図である。
【図５】図１のメインケースのバスバーに結合される電装部品を部分的に拡大して示した分解斜視図である。
【図６】図１の電池パックの製造方法及び作動メカニズムを説明する斜視図である。
【図７】図１の電池パックの製造方法及び作動メカニズムを説明する斜視図である。
【発明を実施するための形態】
【００３７】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３８】
後述する実施例において、電池セルとはリチウム二次電池を称する。ここで、リチウム二次電池とは、充電及び放電中に、リチウムイオンが作動イオンとして働き、正極と負極とで電気化学的反応を引き起こす二次電池を総称する。しかし、本発明が電池の種類によって限定されることはない。
【００３９】
図１は、本発明の実施例による電池パックを示した斜視図である。
【００４０】
図１を参照すれば、本発明による電池パック１８０は、電池モジュール１５０、電装部品１６０及びパックケース１７５を含む。前記電池モジュール１５０は、カートリッジ１００、エンドプレート１１０、１２０、およびＩＣＢ（Ｉｎｔｅｒｃｏｎｎｅｃｔ Ｂｏａｒｄ）組立体１４９を含む。複数の前記カートリッジ１００はパックケース１７５の内部に順に配列される。望ましくは、前記カートリッジ１００のそれぞれは少なくとも１つの電池セル９０を収容する。
【００４１】
前記エンドプレート１１０、１２０は、カートリッジ１００の両側部にそれぞれ位置する。望ましくは、前記エンドプレート１１０、１２０は、カートリッジ１００とともに締め金１３０で密着され締め付けられる。前記ＩＣＢ組立体１４９は、エンドプレート１２０の下側に位置する。望ましくは、前記ＩＣＢ組立体１４９は、図６の印刷回路基板１４４を通じてカートリッジ１００の電池セル９０同士を電気的に接続させる。
【００４２】
前記電装部品１６０は、エンドプレート１１０上で電池モジュール１５０と電気的に接続される。望ましくは、前記電装部品１６０はバッテリー管理システム（ＢＭＳ）、リレー素子及びヒューズ素子を含む。前記パックケース１７５はメインケース８０及びサブケース１７０を含む。前記メインケース８０は縁部において一方向に整列部２８（図２の３８）を有し、他方向にバスバー４８、５８を有する。
【００４３】
望ましくは、前記整列部２８、３８とバスバー４８、５８は、一方向と他方向で電池モジュール１５０の動きを制限する。前記サブケース１７０は、メインケース８０上でバスバー４８、５８とＩＣＢ組立体１４９を囲み、電池モジュール１５０と電装部品１６０を覆う。
【００４４】
図２は、図１のメインケースを示した斜視図である。
【００４５】
図２を参照すれば、前記パックケース１７５において、前記メインケース８０は、図１に示されたように、ハウジング７０を通じて電池モジュール１５０の一部分を収容する。前記メインケース８０は、ハウジング７０の内周面１４で一方向の縁部に位置する整列部２８、３８、及び内周面１４で他方向の縁部に位置するバスバー４８、５８を含む。
【００４６】
前記整列部２８、３８とバスバー４８、５８は、電池モジュール１５０の周辺に位置して電池モジュール１５０と接触する。前記整列部２８、３８は内周面１４の中央領域から縁部に向かって延びる。望ましくは、前記整列部２８、３８はメインケース８０で縁部から中央領域に向かって交互に延びる。
【００４７】
一態様において、前記整列部２８、３８は、それぞれ、内周面の縁部付近でフック（２４または２８）を有する。他の態様において、前記整列部２８、３８は内周面１４で一方向の縁部に対向するように設けられる。さらに他の態様において、前記整列部２８、３８は内周面１４で一方向の縁部に沿って相異なる形状で設けられる。
【００４８】
前記バスバー４８、５８は、内周面１４で対向するように位置する。前記バスバー４８、５８は内周面１４で相異なる形状で設けられる。より詳しくは、前記バスバー４８は、ハウジング７０からハウジング７０の上部に向かって偏平な形状で真っ直ぐ突出し、ハウジング７０の一領域でハウジング７０の所定面積を占めるようにハウジング７０に固定される。
【００４９】
また、前記バスバー５８は、ハウジング７０からハウジング７０の上部に向かって偏平な形状で数回折り曲げられて突出し、ハウジング７０の他の領域でハウジング７０の所定面積を占めるようにハウジング７０に固定される。前記バスバー５８は上側の先端に凹部を有する。一方、前記メインケース８０は、ハウジング７０の外周面１８に接続端子４４、５４、ハンドル６４及びコネクタ６８を含む。
【００５０】
前記接続端子４４、５４はハウジング７０を貫通してバスバー４８、５８に接触する。前記ハンドル６４はパックケース１７５、例えば図１の電池パック１８０を運べるように取っ手から構成される。前記コネクタ６８は、図１のＩＣＢ組立体１４９及び／または電装部品１６０をパックケース１７５外部の電気装置（図示せず）に電気的に接続できるように構成される。
【００５１】
図３は、図１のメインケースの整列部に結合される電池モジュールを拡大して示した部分斜視図である。
【００５２】
図３を参照すれば、前記電池モジュール１５０がメインケース８０に載置された後、前記電池モジュール１５０は整列部２８と整列部３８（図２）との間に位置する。より詳しくは、前記整列部２８、３８は内周面１４の中央領域から縁部に向かって位置し、図１及び図２を考慮すれば、電池モジュール１５０の周辺に突出して電池モジュール１５０の側壁に向かって延びる。
【００５３】
望ましくは、前記整列部２８、３８は電池モジュール１５０の下方で電池モジュール１５０を支持し、電池モジュール１５０から露出する。ここで、前記整列部２８、３８は一方向及び他方向で電池モジュール１５０の動きを制限する。そのため、前記整列部２８、３８はフック形状を有する。すなわち、前記整列部２８、３８のそれぞれは電池モジュール１５０の側方で電池モジュール１５０のカートリッジ１００同士の間の溝部１０５に挿入されるフック２４、３４を有する。
【００５４】
前記フック２４、３４は実質的に三角形である。前記フック２４、３４は溝部１０５を通じてカートリッジ１００と接触し、電池モジュール１５０の動きを制限する。
【００５５】
図４は図１のメインケースのバスバーに結合される電池モジュールを拡大して示した部分斜視図であり、図５は図１のメインケースのバスバーに結合される電装部品を部分的に拡大して示した分解斜視図である。
【００５６】
図４及び図５を参照すれば、前記電池モジュール１５０において、前記電池セル９０はカートリッジ１００を通じて直列回路または並列回路の最終端にそれぞれ位置する電極端子９５を有する。前記電極端子９５は、図４に示されたように、エンドプレート１１０、１２０から突出する。ここで、前記電極端子９５は、図４及び図５に示されたように、電池モジュール１５０の下側に位置するＩＣＢ組立体１４９の代替電極端子１４６、１４８と接触する。
【００５７】
前記電池モジュール１５０とメインケース８０との結合のため、前記代替電極端子１４６、１４８の一方（１４６）は板状であって、図４に示されたように、メインケース８０のバスバー４８に面対面に接触される。より詳しくは、前記バスバー４８は代替電極端子１４６に密着されて溶接される。また、前記代替電極端子１４６、１４８の他方（１４８）は円柱状であって、図５に示されたように、電装部品１６０を貫通して電装部品１６０から突出する。
【００５８】
前記代替電極端子１４８は、図５に示されたように、メインケース８０のバスバー５８の先端に位置する凹部５６に挿し込まれる。望ましくは、前記代替電極端子１４８はねじ線を有する。前記代替電極端子１４８は、図５に示されたように、メインケース８０のバスバー５８の凹部５６でナット１６８とねじ結合することができる。
【００５９】
図６及び図７は、図１の電池パックの製造方法及び作動メカニズムを説明する斜視図である。
【００６０】
図６を参照すれば、メインケース８０と電池モジュール１５０が用意される。前記メインケース８０は、ハウジング７０の内周面１４に整列部２８、３８とバスバー４８、５８を有し得る。前記整列部２８、３８とバスバー４８、５８は、メインケース８０の内周面１４の縁部で一方向及び他方向に位置し得る。前記電池モジュール１５０は、メインケース８０の内周面１４上に載置される。
【００６１】
望ましくは、前記電池モジュール１５０は、メインケース８０の内周面１４で整列部２８、３８とバスバー４８、５８との間に配置される。より詳しくは、前記電池モジュール１５０は一方向で整列部２８と整列部３８との間に配置され、他方向でバスバー４８とバスバー５８との間に配置され得る。ここで、前記メインケース８０と電池モジュール１５０との結合関係は、図１及び図３〜図５を参照して上述した。
【００６２】
前記電池モジュール１５０がメインケース８０に載置された後、前記メインケース８０上に電装部品１６０が配置される。望ましくは、前記電装部品１６０はメインケース８０上で電池モジュール１５０の側方に位置し、電池モジュール１５０と電気的に接続され得る。その後、前記メインケース８０上に図１のサブケース１７０が配置される。前記サブケース１７０は、メインケース８０上で電池モジュール１５０と電装部品１６０を覆うことができる。
【００６３】
前記メインケース８０とサブケース１７０はパックケース１７５を構成し、前記パックケース１７５は電池モジュール１５０及び電装部品１６０とともに、図１の電池パック１８０を構成することができる。一方、前記電池パック１８０において、前記電池モジュール１５０は下側にＩＣＢ組立体１４９を有し得る。前記ＩＣＢ組立体１４９は、印刷回路基板１４４及び代替電極端子１４６、１４８（図５）を有し得る。
【００６４】
前記印刷回路基板１４４は電池モジュール１５０に固定され、メインケース８０の内周面１４と対向することができる。前記印刷回路基板１４４は代替電極端子１４６、１４８を電気的に接続させることができる。
【００６５】
図６及び図７を参照すれば、前記電池モジュール１５０はパックケース１７５のコネクタ６８を通じて外部から電源の供給を受けることができる。前記電池モジュール１５０の電池セル９０の電流特性及び電圧特性は、印刷回路基板１４４と代替電極端子１４６、１４８を通じて電装部品１６０に伝達され、前記電装部品１６０はパックケース１７５の接続端子４４、５４（図７）を通じて電池セル９０の電流をパックケース１７５の外部に位置する電気装置（図示せず）に安定した大きさで伝達することができる。
【００６６】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００６７】
１４  内周面
１８  外周面
２４  フック
２８  整列部
２８  フック
３４  フック
３８  整列部
４４  接続端子
４８  バスバー
５４  接続端子
５６  凹部
５８  バスバー
６４  ハンドル
６８  コネクタ
７０  ハウジング
８０  メインケース
９０  電池セル
９５  電極端子
１００  カートリッジ
１０５  溝部
１１０  エンドプレート
１２０  エンドプレート
１３０  締め金
１４４  印刷回路基板
１４６  代替電極端子、一方の代替電極端子
１４８  代替電極端子、他方の代替電極端子
１４９  ＩＣＢ（Ｉｎｔｅｒｃｏｎｎｅｃｔ  Ｂｏａｒｄ）組立体
１５０  電池モジュール
１６０  電装部品
１６８  ナット
１７０  サブケース
１７５  パックケース
１８０  電池パック
【図１】
0006513832.tif 000002
【図２】
0006513832.tif 000003
【図３】
0006513832.tif 000004
【図４】
0006513832.tif 000005
【図５】
0006513832.tif 000006
【図６】
0006513832.tif 000007
【図７】
0006513832.tif 000008